(57)【要約】【課題】案内通路へ落下した遊技球が入賞口に入らず案内通路の反対側へと飛び出すのを抑制することが可能なパチンコ遊技機を提供する。【解決手段】遊技板４に第一大入賞装置３６（入賞装置）が配置された遊技盤４ａを備えるパチンコ遊技機であって、第一大入賞装置３６は、第一大入賞口５５の下端部で遊技者側に突出してその上側に遊技球の案内通路５８を形成することにより、遊技球を第一大入賞口５５に入球可能とする開放位置と、遊技板４の側に退避することにより、遊技球を第一大入賞口５５に入球不能とする閉鎖位置と、の間で移動可能に構成される第一大入賞口扉５７（開閉部材）と、遊技板４から前方に突出し、案内通路５８の側端に対向して配置される飛び出し防止部材６０を備える。【選択図】図９
2015205103.tif 000002
【特許請求の範囲】
【請求項１】
遊技板に入賞装置が配置された遊技盤を備えるパチンコ遊技機であって、
前記入賞装置は、
前記遊技板を貫通して左右方向に細長く開口される入賞口と、
前記入賞口の下端部で遊技者側に突出してその上側に遊技球の案内通路を形成することにより、遊技球を前記入賞口に入球可能とする開放位置と、前記遊技板の側に退避することにより、遊技球を前記入賞口に入球不能とする閉鎖位置と、の間で移動可能に構成される開閉部材と、
前記遊技板から遊技者側に突出し、前記案内通路の側端に対向して配置される飛び出し防止部材とを備えることを特徴とするパチンコ遊技機。
【請求項２】
前記遊技板に配置され、前記入賞装置の下方に配置される第二入賞装置を備え、
前記第二入賞装置は、上側面が左右方向に細長く開口される第二入賞口と、
前記第二入賞口を閉鎖する閉鎖位置と、前記閉鎖位置から退避して前記第二入賞口の上面を開放する開放位置との間で移動可能であり、前記閉鎖位置において、前記第二入賞口を被覆する第二開閉部材とを備え、
前記飛び出し防止部材は、前記第二開閉部材の上方であって、前記第二開閉部材の一部もしくは全部と左右方向において重なる位置に配置されると共に、左右方向の少なくとも一方に突出する突起部を有することを特徴とする請求項１に記載のパチンコ遊技機。
【発明の詳細な説明】
【技術分野】
【０００１】
本発明は、パチンコ遊技機の技術に関し、より詳細には、転動する遊技球を案内する案内面に入賞口が形成されると共に、当該入賞口を開閉可能に構成された入賞装置を具備するパチンコ遊技機の技術に関する。
【背景技術】
【０００２】
従来、転動する遊技球を案内する案内面に入賞口が形成されると共に、当該入賞口を開閉可能に構成された入賞装置を具備するパチンコ遊技機の技術は公知となっている。例えば、特許文献１に記載の如くである。
【０００３】
特許文献１に記載の入賞装置（大入賞装置）は、遊技盤に設けられ、左右方向に細長く開口される入賞口と、入賞口を閉鎖する閉鎖位置と閉鎖位置から退避して入賞口の上面を開放する開放位置との間で移動可能であり、開放位置において、前記入賞口の下端部で遊技者側に突出してその上側に遊技球の案内通路を形成する開閉部材と、が設けられる。
【０００４】
開閉部材が開放位置にある場合、上方から案内通路へ遊技球が落下したときには、遊技球が案内通路で速度が低下して移動方向が後方に変わり、入賞口の後方へと案内される。このように、当該大入賞装置においては、遊技球を適宜案内することができる。
【０００５】
しかし、このような大入賞装置においては、一方の側方（例えば右側方）から案内通路の上へ落下してきた遊技球の側方へ向かうスピードが速いと、その転動の勢いによって入賞口へ入ることなく案内通路の反対の側方（例えば左側方）へ飛び出すおそれがある。
【先行技術文献】
【特許文献】
【０００６】
【特許文献１】特開２０１２−２４９７０２号公報
【発明の概要】
【発明が解決しようとする課題】
【０００７】
本発明は以上の如き状況に鑑みてなされたものであり、その解決しようとする課題は、一方の側方から案内通路へ落下した遊技球が入賞口に入らず案内通路の反対の側方へと飛び出すことを抑制することが可能なパチンコ遊技機を提供することである。
【課題を解決するための手段】
【０００８】
本発明の解決しようとする課題は以上の如くであり、次にこの課題を解決するための手段を説明する。
【０００９】
即ち、請求項１においては、遊技板に入賞装置が配置された遊技盤を備えるパチンコ遊技機であって、前記入賞装置は、前記遊技板を貫通して左右方向に細長く開口される入賞口と、前記入賞口の下端部で遊技者側に突出してその上側に遊技球の案内通路を形成することにより、遊技球を前記入賞口に入球可能とする開放位置と、前記遊技板の側に退避することにより、遊技球を前記入賞口に入球不能とする閉鎖位置と、の間で移動可能に構成される開閉部材と、前記遊技板から遊技者側に突出し、前記案内通路の側端に対向して配置される飛び出し防止部材とを備えるものである。
【００１０】
請求項２においては、前記遊技板に配置され、前記入賞装置の下方に配置される第二入賞装置を備え、前記第二入賞装置は、上側面が左右方向に細長く開口される第二入賞口と、前記第二入賞口を閉鎖する閉鎖位置と、前記閉鎖位置から退避して前記第二入賞口の上面を開放する開放位置との間で移動可能であり、前記閉鎖位置において、前記第二入賞口を被覆する第二開閉部材とを備え、前記飛び出し防止部材は、前記第二開閉部材の上方であって、前記第二開閉部材の一部もしくは全部と左右方向において重なる位置に配置されると共に、左右方向の少なくとも一方に突出する突起部を有するものである。
【発明の効果】
【００１１】
本発明の効果として、以下に示すような効果を奏する。
【００１２】
請求項１においては、飛び出し防止部材によって、遊技球が入賞口に入らず案内通路の反対側へと飛び出すのを抑制することができる。
【００１３】
請求項２においては、飛び出し防止部材によって、第二入賞装置の第二開閉部材の上面方向へ向かう遊技球の転動方向を変更することで、第二開閉部材に遊技球が衝突する確率を減らし、第二開閉部材が壊れ難くなる。
【図面の簡単な説明】
【００１４】
【図１】本発明の第一実施形態に係る遊技機の全体的な構成を示した正面図。
【図２】同じく、窓枠が開放された状態の構成を示した斜視図。
【図３】同じく、遊技盤の構成を示した正面図。
【図４】第一大入賞装置及び第二大入賞装置を示した前方斜視図。
【図５】同じく、前方分解斜視図。
【図６】同じく、後方分解斜視図。
【図７】第一案内部材を示した後方斜視図。
【図８】同じく、背面図。
【図９】第二案内部材を示した前方斜視図。
【図１０】同じく、正面図。
【図１１】同じく、背面図。
【図１２】（ａ）第一大入賞口が閉鎖状態である場合の第一案内部材及び第二案内部材を示した正面図。（ｂ）同じく、第一大入賞口が開放状態である場合の第一案内部材及び第二案内部材を示した正面図。
【図１３】（ａ）遊技球が飛び出し防止部材と衝突するときの様子を示した模式図。（ｂ）遊技球が飛び出し防止部材と衝突した後の様子を示した模式図。
【図１４】（ａ）遊技球が案内通路上に落下した時の様子を示した模式図。（ｂ）遊技球が案内通路と衝突した直後の様子を示した模式図。
【図１５】（ａ）遊技球が飛び出し防止部材と衝突するときの様子を示した模式図。（ｂ）遊技球が飛び出し防止部材と衝突した後の様子を示した模式図。
【図１６】（ａ）遊技球が左側から飛び出し防止部材と衝突するときの様子を示した模式図。（ｂ）遊技球が左側から飛び出し防止部材と衝突した後の様子を示した模式図。
【図１７】（ａ）遊技球が右側から突起部の上面と衝突するときの様子を示した模式図。（ｂ）遊技球が右側から突起部の上面と衝突した後の様子を示した模式図。
【図１８】（ａ）開閉機構を示した後方斜視図。（ｂ）同じく、ソレノイドの図示を省略した後方斜視図。
【図１９】（ａ）同じく、側面図。（ｂ）同じく、前方斜視図。
【図２０】第一案内部材と、第二案内部材の各部と、の位置関係を示した背面模式図。
【図２１】（ａ）遊技球が第二大入賞口に入球した直後の様子を示した模式図。（ｂ）遊技球が床面によって右方へと案内される様子を示した模式図。
【図２２】（ａ）遊技球が側面に至った様子を示した模式図。（ｂ）遊技球が側面によって速やかに退避される様子を示した模式図。（ｃ）玉噛みを防止するための他の構成を例示した模式図。
【発明を実施するための形態】
【００１５】
まず、本発明に係るパチンコ遊技機の一実施形態の全体的な構成について説明する。
なお、以下の説明では、パチンコ遊技機を遊技者から見て、手前側をパチンコ遊技機の前側とし、奥側をパチンコ遊技機の後側として、前後方向を規定する。また、パチンコ遊技機を遊技者から見て、左手側をパチンコ遊技機の左側とし、右手側をパチンコ遊技機の右側として、左右方向を規定する。
【００１６】
パチンコ遊技機は、いわゆる一種二種混合機と呼ばれるタイプのものである。パチンコ遊技機は、図１及び図２が示すように、主として、外枠２と、中枠３と、窓枠５と、により構成される枠体に、各種の遊技部品が取り付けられて形成される。
【００１７】
外枠２は、パチンコ遊技機の外郭を成し、前後面が開口された略四角筒状に形成される枠体である。外枠２は、パチンコホール等の遊技場に設けられた台島に設置される。外枠２には、中枠３が設けられる。
【００１８】
中枠３は、前後面が開口された略四角筒状に形成される枠体である。中枠３は、外枠２の前側の開口部にヒンジ等の軸支部材を介して回動可能に支持される。中枠３には、遊技盤４Ａと、窓枠５と、下皿ユニット６と、が設けられる。
【００１９】
遊技盤４Ａは、中枠３に着脱可能に取り付けられる。遊技盤４Ａは、図３に示すように、略平板状に形成された板状部材である遊技板４に、各種の遊技部材や装飾部材等が配設されて形成される。
【００２０】
窓枠５は、略額縁状に形成される枠体である。窓枠５は、遊技盤４Ａの前方に配置され、中枠３の前側の開口部にヒンジ等の軸支部材を介して回動可能に支持される。窓枠５の略中央には、略円形状に開口された窓枠開口部８が配設される。窓枠開口部８には、透明板１３が覆設される。これによって、遊技者は、窓枠５の後方に配置された遊技盤４Ａの遊技領域７を、前方から透明板１３を介して視認することができる。窓枠開口部８の下方には、発射前の遊技球が貯溜される上皿９が配設される。窓枠開口部８の左右上方には、スピーカ１０・１０がそれぞれ配設される。
【００２１】
下皿ユニット６は、中枠３の下部であって、窓枠５の下方に取り付けられる。下皿ユニット６の略中央には、上皿９から溢れた遊技球が貯溜される下皿１１が配設される。下皿ユニット６の右側部であって下皿１１の右方には、発射ハンドル１２が配設される。発射ハンドル１２は回動操作可能に構成され、当該回動操作により上皿９に貯溜された遊技球が遊技領域７へ向けて発射される。
【００２２】
次に、遊技盤４Ａの構成について、図３を用いてさらに詳細に説明する。
【００２３】
遊技盤４Ａには、その中央部において遊技板４を前後方向に貫通する開口部１４が形成される。また、遊技板４の前側面には、ガイドレール３０が正面視で略円形状に配置され、前方へ向けて立設される。
【００２４】
遊技領域７は、遊技盤４Ａにおいて遊技球が転動する領域である。遊技領域７は、遊技板４の前側面に、ガイドレール３０によって、略円形状に区画形成される。遊技領域７の略中央には、装飾図柄表示装置４０を設置するための開口部１４が形成される。なお、遊技領域７には、複数の遊技釘が植設される。これによって、遊技領域７に発射された遊技球は、複数の遊技釘に衝突しながら落下し、当該遊技領域７内を転動することになる。
【００２５】
遊技領域７には、主として第一始動ゲート３１と、第二始動ゲート３２と、特図１用始動口３３と、可変入賞装置３５（特図２用始動口３４）と、一般入賞口４１と、第一大入賞装置３６と、第二大入賞装置３７と、普通図柄表示装置３８と、特別図柄表示装置３９と、装飾図柄表示装置４０と、が設けられる。
【００２６】
第一始動ゲート３１は、遊技領域７の左部に配置される。第一始動ゲート３１は、上下方向に貫通したゲート状に形成され、その内側を遊技球が通過（入球）可能に構成される。第一始動ゲート３１の内側には、近接スイッチが配設される。当該近接スイッチは、遊技球が第一始動ゲート３１に入球すると、当該入球を検知して当該第一始動ゲート３１の入球信号を出力するように構成される。
なお、第一始動ゲート３１には、いわゆる左打ちにより遊技球が入球される。
【００２７】
第二始動ゲート３２は、遊技領域７の右下部に配置される。第二始動ゲート３２は、上下方向に貫通したゲート状に形成され、その内側を遊技球が通過（入球）可能に構成される。第二始動ゲート３２の内側には、近接スイッチが配設される。当該近接スイッチは、遊技球が第二始動ゲート３２に入球すると、当該入球を検知して当該第二始動ゲート３２の入球信号を出力するように構成される。
なお、第二始動ゲート３２には、いわゆる右打ちにより遊技球が入球される。
【００２８】
特図１用始動口３３は、遊技領域７の下部であって、装飾図柄表示装置４０の直ぐ下方に配置される。特図１用始動口３３は、上面が開口されたポケット状に形成され、その内部に遊技球が入球（入球）可能に構成される。特図１用始動口３３の内部には、近接スイッチが配設される。当該近接スイッチは、遊技球が特図１用始動口３３に入球すると、当該入球を検知して当該特図１用始動口３３の入球信号を出力するように構成される。
【００２９】
可変入賞装置３５（普通電動役物）は、遊技領域７の下部であって特図１用始動口３３の直ぐ下方に配置される。可変入賞装置３５には、左右方向に細長く開口された特図２用始動口３４が設けられる。特図２用始動口３４は、その内側に遊技球が入球可能に構成される。特図２用始動口３４の内側には、近接スイッチが配設される。当該近接スイッチは、遊技球が特図２用始動口３４に入球すると、当該入球を検知して特図２用始動口３４の入球信号を出力するように構成される。可変入賞装置３５には、図示せぬソレノイド駆動回路を介して開閉動作可能な特図２用始動口扉５４が配設される。可変入賞装置３５は、特図２用始動口扉５４の開閉動作により、特図２用始動口３４に遊技球が入球可能な開放状態と入球不能な閉鎖状態とを切り替え可能に構成される。
【００３０】
一般入賞口４１は、遊技領域７の右下部であって、第二始動ゲート３２の右下方に配置される。一般入賞口４１は、上面が開口されたポケット状に形成され、その内部に遊技球が入球可能に構成される。一般入賞口４１の内部には、近接スイッチが配設される。当該近接スイッチは、遊技球が一般入賞口４１に入球すると、当該入球を検知して当該一般入賞口４１の入球信号を出力するように構成される。なお、当該入球信号が出力されると、賞球が払い出される。
【００３１】
第一大入賞装置３６は、遊技領域７の右下部であって、第二始動ゲート３２の直ぐ下方に配置される。第一大入賞装置３６には、遊技板４を貫通して左右方向に細長く開口された第一大入賞口５５が入賞口として設けられる。第一大入賞口５５は、その内側に遊技球が入球可能に構成される。第一大入賞口５５の内側には、近接スイッチが配設される。当該近接スイッチは、遊技球が第一大入賞口５５に入球すると、当該入球を検知して第一大入賞口５５の入球信号を出力するように構成される。第一大入賞装置３６には、図示せぬソレノイド駆動回路を介して開閉動作可能な長方形状の板部材である第一大入賞口扉５７が開閉部材として配設される。第一大入賞口扉５７は、左右方向を長手方向とする回転軸を中心として回転することにより、第一大入賞口５５を開閉可能に構成される。第一大入賞装置３６は、第一大入賞口扉５７の開閉動作により、第一大入賞口５５に遊技球が入球可能な開放状態と入球不能な閉鎖状態とを切り替え可能に構成される。また、第一大入賞装置３６は、飛び出し防止部材６０を備えている。
【００３２】
第二大入賞装置３７は、遊技領域７（遊技盤４Ａ）の右下部に配置される。第二大入賞装置３７は、その内側を遊技球が移動可能な箱状に形成される。第二大入賞装置３７には、第二大入賞口１２０と、第二大入賞口扉２２１と、特定領域１４０と、通常領域２６０と、振り分け片２８１と、が設けられる。
【００３３】
なお、第二大入賞装置３７の詳細な構成については後述するため、以下では当該第二大入賞装置３７の構成の概略のみ説明する。また、図３においては説明の便宜上、正面から第二大入賞装置３７の内部が一部見えるように図示している。
【００３４】
第二大入賞口１２０は、第二大入賞装置３７の上側面が左右方向に細長く開口された開口部である。第二大入賞口１２０は、その内側（第二大入賞装置３７の内部）に遊技球を入球可能に構成される。第二大入賞口１２０の下方には、近接スイッチが配設される。当該近接スイッチは、遊技球が第二大入賞口１２０に入球すると、当該入球を検知して第二大入賞口１２０の入球信号を出力するように構成される。
【００３５】
第二大入賞口扉２２１は、第二大入賞口１２０を被覆する略平板状の部材である。第二大入賞口扉２２１は開閉動作可能に構成される。第二大入賞口扉２２１は、その開閉動作により、第二大入賞装置３７を第二大入賞口１２０に遊技球が入球可能な開放状態と入球不能な閉鎖状態とに切り替え可能に構成される。
【００３６】
特定領域１４０は、第二大入賞口１２０の右下部に配置される。特定領域１４０は、上面が開口されたポケット状に形成され、その内部に遊技球が入球可能に構成される。特定領域１４０の内部には、近接スイッチが配設される。当該近接スイッチは、遊技球が特定領域１４０に入球すると、当該入球を検知して当該特定領域１４０の入球信号を出力するように構成される。
【００３７】
通常領域２６０は、第二大入賞口１２０の右下部であって特定領域１４０の右後方に配置される。通常領域２６０は、上面が開口されたポケット状に形成され、その内部に遊技球が入球可能に構成される。通常領域２６０の内部には、近接スイッチが配設される。当該近接スイッチは、遊技球が通常領域２６０に入球すると、当該入球を検知して当該通常領域２６０の入球信号を出力するように構成される。
【００３８】
振り分け片２８１は、特定領域１４０を被覆する略平板状の部材である。振り分け片２８１は開閉動作可能に構成される。振り分け片２８１は、その開閉動作により、特定領域１４０を遊技球が入球可能な開放状態と入球不能な閉鎖状態とに切り替え可能に構成される。
【００３９】
このような第二大入賞装置３７の構成により、第二大入賞口扉２２１の開放動作により第二大入賞口１２０に遊技球が入球すると、当該入球した遊技球が振り分け片２８１の開閉動作に応じて特定領域１４０及び通常領域２６０の何れか一方の領域に入球することになる。なお、本実施形態において振り分け片２８１の開閉動作は、第二大入賞口１２０に入球した遊技球が１／１０の確率で特定領域１４０に入球するように設定される。
【００４０】
第二大入賞装置３７は、後述する第二特別図柄遊技の小当り判定の結果が当りである場合に、小当り遊技として閉鎖状態と開放状態とが切り替えられるように構成される。また、第二大入賞装置３７は、第二大入賞口１２０に入球した遊技球が特定領域１４０に入球した場合に、大当り遊技（第二大当り遊技）として閉鎖状態と開放状態とが切り替えられるように構成される。
なお、第二大入賞装置３７には、いわゆる右打ちにより遊技球が入球される。
【００４１】
普通図柄表示装置３８は、普通図柄遊技の当り判定の結果を表示して遊技者に報知する装置である。普通図柄表示装置３８は、遊技領域７の左下部に配置される。普通図柄表示装置３８には、普通図柄が変動表示される普図ＬＥＤ表示部６６が設けられる。以下では、当りを目指して普通図柄を変動させる遊技を、普通図柄遊技と称する。
【００４２】
なお、普通図柄遊技の当り判定は、第一始動ゲート３１又は第二始動ゲート３２への遊技球の入球に基づいて行われる。そして、普通図柄遊技の当り判定が行われると、普図ＬＥＤ表示部６６に普通図柄の変動表示が開始され、所定時間経過後に当該変動表示が停止される。そして、当該停止表示された普通図柄の図柄の組み合わせにより、普通図柄遊技の当り判定の結果が遊技者に報知される。
【００４３】
そして、普通図柄遊技の当り判定の結果が当りであると遊技者に報知されると、可変入賞装置３５の特図２用始動口扉５４が開閉動作して当該可変入賞装置３５の開放状態と閉鎖状態とが切り替えられる。そして、可変入賞装置３５が開放状態となると、特図２用始動口３４に遊技球が入球可能となる。なお、可変入賞装置３５の開放状態は、所定時間経過後、又は所定個数の遊技球が特図２用始動口３４に入球した場合に終了して閉鎖状態へと切り替えられる。
【００４４】
特別図柄表示装置３９は、特別図柄遊技の大当り判定の結果を表示して遊技者に報知する装置である。特別図柄表示装置３９は、遊技領域７の左下部であって、普通図柄表示装置３８の左上方に配置される。特別図柄表示装置３９には、特別図柄が変動表示される特図ＬＥＤ表示部６７が設けられる。以下では、大当りを目指して特別図柄を変動させる遊技を、特別図柄遊技と称する。
【００４５】
ここで、本実施形態において特別図柄は、特別図柄１と特別図柄２との２種類の図柄が設けられる。そして、本実施形態において特別図柄遊技は、特別図柄１を変動させる第一特別図柄遊技と、特別図柄２を変動させる第二特別図柄遊技と、の２種類の遊技が設けられる。
【００４６】
第一特別図柄遊技の大当り判定は、特図１用始動口３３への遊技球の入球に基づいて行われる。そして、第一特別図柄遊技の大当り判定が行われると、特別図柄表示装置３９の特図ＬＥＤ表示部６７に特別図柄１の変動表示が開始され、所定時間経過後に当該変動表示が停止される。そして、当該停止表示された特別図柄１の図柄の組み合わせにより、第一特別図柄遊技の大当り判定の結果が遊技者に報知される。
【００４７】
第二特別図柄遊技の大当り判定は、特図２用始動口３４への遊技球の入球に基づいて行われる。そして、第二特別図柄遊技の大当り判定が行われると、特別図柄表示装置３９の特図ＬＥＤ表示部６７に特別図柄２の変動表示が開始され、所定時間経過後に当該変動表示が停止される。そして、当該停止表示された特別図柄２の図柄の組み合わせにより、第二特別図柄遊技の大当り判定の結果が遊技者に報知される。
【００４８】
なお、第一特別図柄遊技の大当り判定及び第二特別図柄遊技の大当り判定は、当該大当り判定の契機となる遊技球の入球した順番に従って順次行われる。
【００４９】
そして、第一特別図柄遊技の大当り判定の結果が大当りである場合、又は第二特別図柄遊技の大当り判定の結果が大当りである場合には、特別図柄１、又は特別図柄２の変動停止後に後述する大当り遊技が開始され、第一大入賞装置３６の開放状態と閉鎖状態とが連続して切り替えられる。
【００５０】
また、第二特別図柄遊技の大当り判定の結果がハズレである場合には、当該第二特別図柄遊技の小当り判定が行われる。第二特別図柄遊技の小当り判定は、当該第二特別図柄遊技の大当り判定と同様に、特図２用始動口３４への遊技球の入球に基づいて行われる。
【００５１】
そして、第二特別図柄遊技の小当り判定の結果が当りである場合には、特別図柄２の変動停止後に後述する小当り遊技が開始され、第二大入賞装置３７が閉鎖状態から開放状態へと切り替えられる。
【００５２】
装飾図柄表示装置４０は、装飾図柄遊技の結果を表示して遊技者に報知する装置である。装飾図柄表示装置４０は、遊技領域７の略中央に開口された開口部１４に設置される。装飾図柄表示装置４０には、装飾図柄が変動表示される液晶表示部６８が設けられる。
【００５３】
液晶表示部６８には、装飾図柄遊技として複数の装飾図柄がそれぞれ独立して循環するように変動表示される。以下では、当りを目指して複数の装飾図柄を変動させる遊技を、装飾図柄遊技と称する。
【００５４】
複数の装飾図柄の変動表示は、所定時間経過後に停止される。そして、当該停止表示された複数の装飾図柄の図柄の組み合わせにより、装飾図柄遊技の結果が遊技者に報知される。そして、装飾図柄遊技の結果が当りである場合には、当該結果が遊技者に報知された後、大当り遊技が開始される。
【００５５】
また、装飾図柄遊技の結果が遊技者に報知される際には、複数の装飾図柄の変動表示と共に、種々の演出（リーチ演出や背景演出や擬似連続表示演出や時間管理型の演出や先読み予告演出等）が液晶表示部６８に表示される。こうして、装飾図柄遊技においては、複数の装飾図柄の変動表示と共に種々の演出を液晶表示部６８に表示することにより、遊技者の興趣を高めている。
【００５６】
なお、本実施形態において装飾図柄は、「０」・「１」・「２」・「３」・「４」・「５」・「６」・「７」の数字図柄が使用される。そして、装飾図柄遊技の結果が当りである場合には、液晶表示部６８に停止表示される複数の装飾図柄の組み合わせは、「０００」・「１１１」・「２２２」・「３３３」・「４４４」・「５５５」・「６６６」・「７７７」のうち、何れか１つの組み合わせとなる。
【００５７】
また、装飾図柄遊技の結果は、特図１用始動口３３への遊技球の入球と、特図２用始動口３４への遊技球の入球と、の２種類の遊技球の入球に基づいて決定される。より詳細には、装飾図柄遊技の結果は、前記２種類の遊技球の入球に基づいて行われた第一特別図柄遊技及び第二特別図柄遊技の大当り判定の結果に基づいて決定される。すなわち、第一特別図柄遊技（又は、第二特別図柄遊技）の大当り判定の結果が大当りである場合に、装飾図柄遊技の結果は当りとなる。また、第一特別図柄遊技（又は、第二特別図柄遊技）の大当り判定の結果がハズレである場合に、装飾図柄遊技の結果はハズレとなる。このように、装飾図柄遊技の結果は、第一特別図柄遊技及び第二特別図柄遊技の大当り判定の結果と連動するように設定される。
【００５８】
また、装飾図柄表示装置４０の液晶表示部６８には、特別図柄遊技の特別図柄の変動保留回数を遊技者に報知する保留回数表示部６９が設けられる。保留回数表示部６９は、液晶表示部６８の下部に配置される。保留回数表示部６９に表示される特別図柄遊技の特別図柄１及び特別図柄２の変動保留回数は、前記２種類の遊技球の入球に応じて加算され、あるいは特別図柄１又は特別図柄２の変動表示（大当り判定）に応じて減算される。なお、第一特別図柄遊技の特別図柄１及び第二特別図柄遊技の特別図柄２の変動保留回数の上限は、合計４回に設定される。
【００５９】
以下では、小当り遊技について詳細に説明する。
【００６０】
小当り遊技とは、内部的な遊技状態が小当り遊技状態へと移行した状態での遊技である。小当り遊技では、小当り遊技状態へと移行する前の遊技状態（通常の遊技状態）と比較して有利となる遊技状態であって、且つ大当り遊技状態よりも小さい有利度合いの遊技状態が遊技者に付与される。具体的には、小当り遊技では、第二大入賞装置３７の第二大入賞口扉２２１が開閉動作を行って、第二大入賞装置３７の開放状態と閉鎖状態との切り替えが１回行われる。これにより、遊技者は通常の遊技状態での遊技よりも多くの（大当り遊技である場合よりは少ない）賞球を獲得することができる。
【００６１】
なお、小当り遊技において第二大入賞装置３７の開放状態は、予め設定された所定時間経過後に終了し、閉鎖状態へと切り替えられる。
【００６２】
そして、小当り遊技において第二大入賞装置３７に遊技球が入賞して当該入賞した遊技球が特定領域１４０に入賞した場合には、内部的な遊技状態が小当り遊技状態から大当り遊技状態へと移行する。すなわち、小当り遊技が終了して大当り遊技が開始される。なお、前述したように、第二大入賞装置３７においては、第二大入賞口１２０に入賞した遊技球が１／１０の確率で特定領域１４０に入賞するように設定される。つまり、小当り遊技において、第二大入賞口１２０に１個の遊技球が入賞すると、１／１０の確率で大当り遊技が開始されるように設定される。
【００６３】
なお、小当り遊技が終了した後に開始される大当り遊技は、大当り遊技のうち、後述す
る第二大当り遊技となる。第二大当り遊技（小当り遊技が終了した後に開始される大当り遊技）においては、大入賞装置として第二大入賞装置３７が使用される。
【００６４】
以下では、大当り遊技について詳細に説明する。
【００６５】
本実施形態において大当り遊技には、第一大入賞装置３６を使用する第一大当り遊技と、第二大入賞装置３７を使用する第二大当り遊技と、の２種類の大当り遊技が設けられる。
【００６６】
第一大当り遊技とは、特図１用始動口３３への遊技球の入球に基づいて行われた第一特別図柄遊技の大当り判定の結果が大当りである場合、又は特図２用始動口３４への遊技球の入球に基づいて行われた第二特別図柄遊技の大当り判定の結果が大当りである場合に、内部的な遊技状態が通常の遊技状態から大当り遊技状態へと移行した状態での遊技である。第一大当り遊技においては、第一大入賞装置３６が使用される。
【００６７】
第一大当り遊技では、第一大入賞装置３６の第一大入賞口扉５７の開閉動作が連続して行われ、第一大入賞装置３６の開放状態と閉鎖状態との連続した切り替え（連続作動）が行われる。これにより、遊技者は通常の遊技状態での遊技よりも多くの（小当り遊技である場合よりも多くの）賞球を獲得することができる。
【００６８】
なお、第一大当り遊技において第一大入賞装置３６の１回当りの開放状態は、所定時間（本実施形態では、３０秒）経過後、又は所定個数（本実施形態では、１０個）の遊技球が当該第一大入賞装置３６の第一大入賞口５５に入球した場合に終了し、閉鎖状態へと切り替えられる。そして、第一大入賞装置３６は、閉鎖状態へと切り替えられた後、所定時間（本実施形態では、３秒）経過後に再び開放状態に切り替えられる。
【００６９】
また、第二大当り遊技とは、前述したように、小当り遊技において第二大入賞装置３７に遊技球が入賞して当該入賞した遊技球が特定領域１４０に入球した場合に、内部的な遊技状態が（小当り遊技状態から）大当り遊技状態へと移行した状態での遊技である。第二大当り遊技においては、第二大入賞装置３７が使用される。
【００７０】
第二大当り遊技では、第二大入賞装置３７の第二大入賞口扉２２１の開閉動作が連続して行われ、第二大入賞装置３７の開放状態と閉鎖状態との連続した切り替え（連続作動）が行われる。これにより、遊技者は通常の遊技状態での遊技よりも多くの（小当り遊技である場合よりも多くの）賞球を獲得することができる。
【００７１】
なお、第二大当り遊技において第二大入賞装置３７の１回当りの開放状態は、所定時間（本実施形態では、３０秒）経過後、又は所定個数（本実施形態では、１０個）の遊技球が当該第二大入賞装置３７の第二大入賞口１２０に入球した場合に終了し、閉鎖状態へと切り替えられる。そして、第二大入賞装置３７は、閉鎖状態へと切り替えられた後、所定時間（本実施形態では、３秒）経過後に再び開放状態に切り替えられる。
【００７２】
このように、第一大当り遊技及び第二大当り遊技では、第一大入賞装置３６又は第二大入賞装置３７の連続作動が所定回数（本実施形態では、合計１６回）だけ行われる。
【００７３】
なお、大当り遊技状態は、第一特別図柄遊技の大当り判定の結果、又は第二特別図柄遊技の大当り判定の結果が大当りである場合に、条件装置が作動することにより通常の遊技状態から移行される。なお、条件装置とは、役物連続作動装置が作動するための条件となる装置である。また、役物連続作動装置とは、大入賞装置（第一大入賞装置３６又は第二大入賞装置３７）を連続して作動させるための装置である。
【００７４】
また、パチンコ遊技機においては、特別図柄遊技（第一特別図柄遊技及び第二特別図柄遊技）に関する内部的な遊技状態として、前述した小当り遊技状態及び大当り遊技状態に加えて、特別図柄遊技における時短遊技状態が設けられる。
【００７５】
特別図柄遊技における時短遊技状態とは、特別図柄遊技において変動時間短縮機能が作動して通常の（変動時間短縮機能が作動していない）遊技状態から移行する遊技状態である。このように時短遊技状態となると、特別図柄１及び特別図柄２の変動時間が通常の遊技状態での遊技よりも短縮される。なお、本実施形態において時短遊技状態への移行の可否は、所定の判定が行われることにより決定される。
【００７６】
また、パチンコ遊技機においては、普通図柄遊技に関する内部的な遊技状態として、普通図柄遊技における時短遊技状態が設けられる。
【００７７】
普通図柄遊技における時短遊技状態とは、普通図柄遊技において変動時間短縮機能が作動して通常の（変動時間短縮機能が作動していない）遊技状態から移行する遊技状態である。時短遊技状態となると、普通図柄の変動時間が通常の遊技状態での遊技よりも短縮される。なお、本実施形態において時短遊技状態への移行は、特別図柄遊技における時短遊技状態への移行に従属して決定される。
【００７８】
また、本実施形態においては、普通図柄遊技において変動時間短縮機能が作動すると、普通図柄遊技における普通図柄確率変動機能と、普通図柄遊技における普通電動役物開放延長機能と、特別図柄遊技における変動時間短縮機能と、が同時に作動するように設定される。
【００７９】
普通図柄遊技において普通図柄確率変動機能が作動すると、普通図柄遊技の当り判定の結果が当りであると判定される確率が、通常の（普通図柄確率変動機能が作動していない）遊技状態での遊技よりも高確率となる。
【００８０】
普通図柄遊技において普通電動役物開放延長機能が作動すると、可変入賞装置３５が開放状態となる１回当りの時間が、通常の（普通電動役物開放延長機能が作動していない）遊技状態での遊技よりも延長される。
【００８１】
このように、普通図柄遊技において時短遊技状態となると、特図２用始動口３４に遊技球が入球し易い遊技状態（いわゆる電サポ遊技状態）となる。すなわち、普通図柄遊技において時短遊技状態となると、遊技者に有利は遊技状態となる。
【００８２】
なお、本実施形態では、普通図柄遊技において変動時間短縮機能が作動すると、普通図柄遊技における普通図柄確率変動機能と、普通図柄遊技における普通電動役物開放延長機能と、特別図柄遊技における変動時間短縮機能と、が同時に作動するように設定される構成としたが、これに限定するものではない。すなわち、普通図柄遊技において変動時間短縮機能が作動すると同時に作動する各種の機能は、適宜に組み合わせてもよい。
【００８３】
以下では、図４から図１７までを用いて、上述の第一大入賞装置３６の詳細な構成について説明する。第一大入賞装置３６は、本発明に係る入賞装置の実施の一形態である。
【００８４】
第一大入賞装置３６に配設される第一大入賞口扉５７は、左右方向を長手方向とする回転軸を中心として回転可能に構成されており、図１２（ａ）に示すように、閉鎖状態においては第一大入賞口５５を遮蔽するように配置される（閉鎖位置）。
また、第一大入賞口扉５７は、図１２（ｂ）に示すように、開放状態においては、第一大入賞口扉５７の長方形状の板が前方に９０°回転した状態で配置される（開放位置）。つまり、第一大入賞口扉５７は、前方に倒れることにより、案内通路５８を形成する。
【００８５】
このように、第一大入賞口扉５７は、第一大入賞口５５の下端部で遊技者側に突出してその上側に遊技球の案内通路５８を形成することにより、遊技球を第一大入賞口５５に入球可能とする開放位置と、遊技板４の側に退避することにより、遊技球を第一大入賞口５５に入球不能とする閉鎖位置と、の間で移動可能に構成される。
【００８６】
なお、本実施形態において、第一大入賞口扉５７は、回転軸を中心として回転することにより、第一大入賞口５５を開閉する構成としたが、第一大入賞口５５の下部において板状部材が前後に進退することにより、第一大入賞口５５への入球の可否を制御する構成とすることも可能である。
【００８７】
図１２（ｂ）に示す如く、第一大入賞口５５の左部は、上方が半円状に開口され、下方が四角形状に開口された開口部５９が設けられている。開口部５９は、第一大入賞口５５に入球した遊技球を遊技領域７の裏側へと導くものである。
【００８８】
また、第一大入賞装置３６は、飛び出し防止部材６０を備えている。
飛び出し防止部材６０は、図９および図１０に示す如く、遊技板４から前方（遊技者側）に突出した部材であり、四角柱状に形成された本体部６０ａと、本体部６０ａから右側方に突出する突起部６０ｂとを有する。
飛び出し防止部材６０は、案内通路５８の側端に対向して配置される。本実施形態においては、いわゆる右打ちによって発射された遊技球が転動する方向における下流端側である案内通路５８の左側の側端に配置される。
正面視において、本体部６０ａの上面は、左側へ向かうにつれて下方に傾斜するように形成されている。
突起部６０ｂは、本体部６０ａの右上角部から、右方向へ向けて突出する。突起部６０ｂの長さは、遊技球の半径とほぼ同じ長さとなるように形成されている。また、突起部６０ｂも、本体部６０ａの上面と同様に左側へ向かうにつれて下方に傾斜するように形成されている。
【００８９】
図６に示す第一開閉機構６１は、第一大入賞口５５を開放又は閉鎖するためのものである。第一開閉機構６１は、ベース部材２１０の背面の上部に取り付けられる。第一開閉機構６１は、主として第一大入賞口扉５７、ソレノイド６２を具備する。
ソレノイド６２は、第一開閉機構６１の駆動源となるものである。ソレノイド６２の動作によって、第一大入賞口扉５７の動作が制御される。
【００９０】
前記制御装置によってソレノイド６２に電流が供給されない場合、第一大入賞口５５の前方を遮蔽する位置に保持される。この状態においては、当該第一大入賞口扉５７によって第一大入賞口５５が前方から覆われることになり、当該第一大入賞口５５に遊技球が入球不能な閉鎖状態となる。
【００９１】
一方、前記制御装置によってソレノイド６２が励磁されると、第一大入賞口扉５７が前方へと回動し、第一大入賞口５５が開放され、第一大入賞口５５に遊技球が入球可能な開放状態となる。
【００９２】
第一大入賞装置３６は、後述する第一特別図柄遊技の大当り判定の結果が大当りである場合と、第二特別図柄遊技の大当り判定の結果が大当りである場合とに、大当り遊技（第一大当り遊技）として閉鎖状態と開放状態とが切り替えられるように構成される。
なお、第一大入賞装置３６には、いわゆる右打ちにより遊技球が入賞される。
【００９３】
上述の如く構成された第一大入賞装置３６で転動する遊技球は、第一大入賞口扉５７が開放状態にある場合には、案内通路５８における第一大入賞口扉５７の上面に接触した後、第一大入賞口５５内へと誘導される。しかしいわゆる右打ちで発射された遊技球は、転動スピードが比較的速く、勢いがあるため、一部の遊技球が第一大入賞口扉５７の上面に接触した後更に左方へと移動し、第一大入賞口５５の前面を通過し、第一大入賞口５５内へ誘導されない可能性があった。
【００９４】
そこで、本実施形態に係る第一大入賞装置３６においては、飛び出し防止部材６０を設けている。これによって、図１３（ａ）に示すように、案内通路５８を右から左へと案内されて第一大入賞口５５の左端まで移動した遊技球は、飛び出し防止部材６０に衝突し、移動方向が変更される。より詳細には、案内通路５８上を右から左へ移動した遊技球は、飛び出し防止部材６０の本体部６０ａの右側面に衝突し、図１３（ｂ）に示すように、左から右へと移動する。また、図１４（ａ）に示すように、案内通路５８に衝突するなどしてバウンドし、右下から左上へ移動した遊技球は、図１４（ｂ）に示すように、飛び出し防止部材６０の、本体部６０ａの右側面及び突起部６０ｂの下面のいずれか一方もしくは両方と衝突する。突起部６０ｂの長さは、遊技球の半径と略同じ長さとなっているため、確実に遊技球を開口部５９側へ戻すことができる。すなわち、飛び出し防止部材６０の本体部６０ａの右側面及び突起部６０ｂの下面のいずれか一方もしくは両方と衝突した遊技球は、図１５（ａ）に示すように、左上から右下へと移動し、図１５（ｂ）に示すように開口部５９付近に落下する。
そして、移動方向が変更された遊技球は、再び案内通路５８上へ戻され、確実に第一大入賞口５５の開口部５９内へと誘導される。
【００９５】
以上の如く、本実施形態に係るパチンコ遊技機は、遊技板４に第一大入賞装置３６（入賞装置）が配置された遊技盤４ａを備えるパチンコ遊技機であって、第一大入賞装置３６は、遊技板４を貫通して左右方向に細長く開口される第一大入賞口５５（入賞口）と、第一大入賞口５５の下端部で遊技者側に突出してその上側に遊技球の案内通路５８を形成することにより、遊技球を第一大入賞口５５に入球可能とする開放位置と、遊技板４の側に退避することにより、遊技球を第一大入賞口５５に入球不能とする閉鎖位置と、の間で移動可能に構成される第一大入賞口扉５７（開閉部材）と、遊技板４から遊技者側に突出し、案内通路５８の側端に対向して配置される飛び出し防止部材６０とを備えるものである。
【００９６】
このように構成することにより、飛び出し防止部材６０によって、右側方から案内通路５８の上に落下してきた遊技球が第一大入賞口５５に入らず案内通路５８の左側方へと飛び出すのを抑制することができる。
特に本実施形態においては、第一大入賞口５５を狙って遊技領域７の右側へ発射されたスピードが速い遊技球は、案内通路５８の反対側へ飛び出す可能性がある。このため、飛び出し防止部材６０によって、遊技球が第一大入賞口５５に入らず案内通路５８の反対側へと飛び出すのを抑制することができる構成は、本実施形態に係るパチンコ遊技機において特に有用である。
【００９７】
以下では、図４から図１１及び図１８から図２０までを用いて、上述の第二大入賞装置３７の詳細な構成について説明する。第二大入賞装置３７は、本発明に係る第二入賞装置の実施の一形態であり、主として第一案内部材１００及び第二案内部材２００を具備する。
【００９８】
図４から図８までに示す第一案内部材１００は、第二大入賞装置３７の前部を構成する部材である。第一案内部材１００は後方が開放された略箱状に形成される。第一案内部材１００の背面側には、主として案内面１１０、第二大入賞口１２０、特定領域１４０及び通常領域案内面１５０が形成される。
【００９９】
案内面１１０は、その上を転動する遊技球を所定の方向に向かって案内するためのものである。案内面１１０は、遊技板４から前方に突出するようにして、第一案内部材１００の右端部近傍から左端部に亘って形成される。案内面１１０は、右から左に向かって下降するような傾斜面となるように形成される。これによって、案内面１１０の上を転動する遊技球は右から左に向かって案内される。案内面１１０の上を左端部まで転動した遊技球は当該左端部から可変入賞装置３５の特図２用始動口３４に向かって放り出される（図３参照）。このため、案内面１１０の傾斜角は、左端部から放り出される遊技球が可変入賞装置３５の特図２用始動口３４まで届く程度の勢いが得られるように設定される。案内面１１０には、開口部１１０ａが形成される。
【０１００】
開口部１１０ａは、案内面１１０の左右中途部（中央よりやや左方の位置）を切り欠くようにして開口することにより形成される。開口部１１０ａは、遊技球が流通可能な大きさに形成される。
【０１０１】
第二大入賞口１２０は、本発明に係る入賞口の実施の一形態であり、遊技球が入球可能となるように形成されたものである。第二大入賞口１２０は、主として底部１２１及び側面１２２を具備する。第二大入賞口１２０は、底部１２１及び側面１２２、並びに第一案内部材１００の前面及び後述する第二案内部材２００のベース部材２１０によって囲まれた空間として形成され、その上面は案内面１１０に形成された開口部１１０ａによって開放される。
【０１０２】
底部１２１は、開口部１１０ａから第二大入賞口１２０に入球した遊技球を所定の方向に向かって案内するためのものである。底部１２１は、案内面１１０の下方において、遊技板４から前方に突出するようにして、左右に亘って形成される。底部１２１は、その板面を略上下方向に向けた略矩形板状に形成され、当該底部１２１の上面が、開口部１１０ａから第二大入賞口１２０に入球した遊技球を受ける球受け面１２１ａとなる。底部１２１（球受け面１２１ａ）は、左から右に向かって所定の角度で下降するように、すなわち案内面１１０と逆向きに傾斜して形成される。これによって、底部１２１の球受け面１２１ａを転動する遊技球は、左から右に向かって案内される。
【０１０３】
側面１２２は、底部１２１（球受け面１２１ａ）の左端部から概ね上方に向けて立設される面である。より詳細には、側面１２２の下端部は底部１２１の球受け面１２１ａの左端部と接続され、側面１２２の上端部は左上方に向けて延設されると共に開口部１１０ａの左端部と接続される。このようにして、側面１２２は左から右に向かって所定の角度で下降するように傾斜して形成される。この際、当該側面１２２の傾斜角度は、底部１２１の球受け面１２１ａの傾斜角度より大きくなるように形成される。
【０１０４】
特定領域１４０は、球受け面１２１ａを転動してきた遊技球が入球可能となるように形成された領域である。特定領域１４０は、球受け面１２１ａの右端部（下端部）の右下方に形成される。特定領域１４０の上部は開口され、当該開口を介して遊技球が入球可能とされる。
【０１０５】
通常領域案内面１５０は、球受け面１２１ａを転動してきた遊技球を後方（より詳細には、後述する通常領域２６０）に向かって案内するためのものである。通常領域案内面１５０は、球受け面１２１ａの右端部の右下方であって、特定領域１４０の開口よりも右方に形成される。通常領域案内面１５０は、前から後に向かって下降するような傾斜面となるように形成される。これによって、通常領域案内面１５０の上を転動する遊技球は前から後に向かって案内される。
【０１０６】
図４から図６まで、並びに図９から図１１までに示す第二案内部材２００は、第二大入賞装置３７の後部を構成する部材である。第二案内部材２００は、主としてベース部材２１０、開閉機構２２０、第二大入賞口センサ２３０、特定領域センサ２４０、通常領域案内部２５０、通常領域２６０、通常領域センサ２７０及び振り分け機構２８０を具備する。
【０１０７】
ベース部材２１０は、第二案内部材２００の主たる構造体となるものである。ベース部材２１０は、その板面を前後方向に向けた略矩形板状に形成される。ベース部材２１０には、他の部材を取り付けたり遊技球を案内したりするための切欠部や開口部が適宜形成される。図５及び図６に示すように、ベース部材２１０は後方から第一案内部材１００に固定されることになる。
【０１０８】
なお、本実施形態においては、ベース部材２１０の上部に前述の第二始動ゲート３２、第一大入賞装置３６及び一般入賞口４１が取り付けられる。
【０１０９】
図１１、図１８及び図１９までに示す開閉機構２２０は、第一案内部材１００の第二大入賞口１２０を開放又は閉鎖するためのものである。開閉機構２２０は、ベース部材２１０の背面の左下部に取り付けられる。開閉機構２２０は、主として第二大入賞口扉２２１、回動部材２２２、摺動部材２２３及びソレノイド２２４を具備する。
【０１１０】
第二大入賞口扉２２１は、本発明に係る第二大入賞口扉の実施の一形態であり、その板面を上下方向に向けた略矩形板状の部材である。第二大入賞口扉２２１は、ベース部材２１０の左端部近傍を前後方向に貫通するようにして、前後方向に摺動可能となるように支持される（図９参照）。
ベース部材２１０が第一案内部材１００に固定された際、前方に摺動した状態の第二大入賞口扉２２１は、第一案内部材１００の第二大入賞口１２０を上方から覆う（閉鎖する）ことになる（図４及び図２０参照）。
【０１１１】
図１１、図１８及び図１９までに示す回動部材２２２は、その板面を略前後方向に向けた略矩形板状の部材である。回動部材２２２は、第二大入賞口扉２２１の下方に配置される。回動部材２２２は、その下端部を中心として、前後に回動可能となるように支持される。回動部材２２２の上端部は第二大入賞口扉２２１の後端部と連結される。回動部材２２２の前面の上下中途部には、前方へ向けて突出するように凸部２２２ａが形成される。
【０１１２】
摺動部材２２３は、その板面を略前後方向に向けた略板状の部材である。摺動部材２２３は、回動部材２２２の前方に配置される。摺動部材２２３は上下方向に摺動可能となるように支持される。摺動部材２２３の右端部には、当該右端部の上下中途部を切り欠くようにして、凹部２２３ａが形成される。当該凹部２２３ａには、回動部材２２２の凸部２２２ａが係合される。また摺動部材２２３の左下端部には、前方へ向けて突出するように係合部２２３ｂが形成される。
【０１１３】
ソレノイド２２４は、開閉機構２２０の駆動源となるものである。ソレノイド２２４は摺動部材２２３の左部前方に配置される。ソレノイド２２４のプランジャ２２４ａは下方に向けて配置される。当該プランジャ２２４ａの下端部は、摺動部材２２３の係合部２２３ｂに係合される。また当該プランジャ２２４ａは、図示しないバネによって常時下方に向かって付勢される。
【０１１４】
このように構成された開閉機構２２０において、図示しない制御装置によってソレノイド２２４の動作が制御され、ひいては第二大入賞口扉２２１の動作が制御される（図１９の白抜き矢印参照）。
【０１１５】
前記制御装置によってソレノイド２２４に電流が供給されない場合、摺動部材２２３は前記バネの付勢力及び自重によって下方へと摺動した状態に保持される。この場合、凹部２２３ａ及び凸部２２２ａを介して回動部材２２２が前方へと回動された状態で保持されるため、第二大入賞口扉２２１も前方に摺動した状態（当該第二大入賞口扉２２１の位置を、閉鎖位置とする）に保持される。このように、開閉機構２２０においては、前記バネの付勢力及び摺動部材２２３の自重によって、第二大入賞口扉２２１を前方に摺動した状態で確実に保持することができる。この状態においては、当該第二大入賞口扉２２１によって第一案内部材１００の第二大入賞口１２０が上方から覆われることになり（図４及び図２０参照）、当該第二大入賞口１２０に遊技球が入球不能な閉鎖状態となる。第二大入賞口扉２２１が閉鎖位置にある場合、当該第二大入賞口扉２２１は案内面１１０の一部を構成し、当該案内面１１０と共にその上を転動する遊技球を右から左に向かって案内する。
【０１１６】
一方、前記制御装置によってソレノイド２２４が励磁されると、プランジャ２２４ａが上方へと摺動し、当該プランジャ２２４ａと係合している摺動部材２２３も上方へと摺動する。この場合、凹部２２３ａ及び凸部２２２ａを介して回動部材２２２が後方へと回動され、ひいては第二大入賞口扉２２１が後方に摺動される（当該第二大入賞口扉２２１の位置を、開放位置とする）。この状態においては、第二大入賞口扉２２１が前記閉鎖位置から退避して第一案内部材１００の第二大入賞口１２０が開放され、当該第二大入賞口１２０に遊技球が入球可能な開放状態となる。
【０１１７】
図５及び図６、図９から図１１まで、並びに図２０に示す第二大入賞口センサ２３０は、遊技球を検知することが可能な近接スイッチである。第二大入賞口センサ２３０は、環状の検知部が前方に突出するようにして、ベース部材２１０の略中央部（第二大入賞口扉
２２１の右下方）に取り付けられる。
ベース部材２１０が第一案内部材１００に固定された際、第二大入賞口センサ２３０は、第一案内部材１００の球受け面１２１ａの中途部（下端部近傍）に位置することになる（図２０参照）。このように配置された第二大入賞口センサ２３０によって、第二大入賞口１２０に入球して球受け面１２１ａを右方へと転動する遊技球を検知することができる。
【０１１８】
特定領域センサ２４０は、遊技球を検知することが可能な近接スイッチである。特定領域センサ２４０は、環状の検知部が前方に突出するようにして、ベース部材２１０の右下部（第二大入賞口センサ２３０の右下方）に取り付けられる。
ベース部材２１０が第一案内部材１００に固定された際、特定領域センサ２４０は、第一案内部材１００の特定領域１４０の上端部（開口部）に位置することになる（図２０参照）。このように配置された特定領域センサ２４０によって、球受け面１２１ａを転動して特定領域１４０に入球する遊技球を検知することができる。
【０１１９】
図５、図９、図１０及び図２０に示す通常領域案内部２５０は、第一案内部材１００の通常領域案内面１５０によって案内されてくる遊技球を、後述する通常領域２６０へと案内するためのものである。通常領域案内部２５０は、ベース部材２１０の右下部（特定領域センサ２４０の右方）に開口されるようにして形成される。
ベース部材２１０が第一案内部材１００に固定された際、通常領域案内部２５０は、第一案内部材１００の通常領域案内面１５０と対向する位置に配置される（図２０参照）。
【０１２０】
図９から図１１までに示す通常領域２６０は、第一案内部材１００の通常領域案内面１５０を転動してきた遊技球が通常領域案内部２５０を介して入球可能となるように形成された領域である。通常領域２６０は、ベース部材２１０の右下部（通常領域案内部２５０の下方）に形成される。通常領域２６０の上部は開口され、通常領域案内部２５０と連通される。
【０１２１】
図５及び図６、並びに図９から図１１までに示す通常領域センサ２７０は、遊技球を検知することが可能な近接スイッチである。通常領域センサ２７０は、環状の検知部が通常領域案内部２５０と通常領域２６０との連通部分に位置するように取り付けられる。このように配置された通常領域センサ２７０によって、通常領域案内部２５０から通常領域２６０に入球する遊技球を検知することができる。
【０１２２】
図５及び図６、図９から図１１まで、並びに図２０に示す振り分け機構２８０は、特定領域１４０の上端部（開口部）を開放又は閉鎖するためのものである。振り分け機構２８０は、ベース部材２１０の背面の右部に取り付けられる。振り分け機構２８０は、主として振り分け片２８１、回動アーム２８２及びソレノイド２８３を具備する。
【０１２３】
振り分け片２８１は、その板面を上下方向に向けた略矩形板状の部材である。振り分け片２８１は、ベース部材２１０の略中央部（第二大入賞口センサ２３０の右下方）を前後方向に貫通するようにして、左右方向に摺動可能となるように支持される。
ベース部材２１０が第一案内部材１００に固定された際、右方に摺動した状態の振り分け片２８１は特定領域１４０の開口部を上方から覆う（閉鎖する）ことになり、左方に摺動した状態の振り分け片２８１は当該開口部を開放することになる（図２０参照）。
【０１２４】
図６及び図１１に示す回動アーム２８２は、振り分け片２８１に駆動力を伝達するためのものである。回動アーム２８２は略上下方向に長手方向を向けられた板状に形成される。回動アームの上下中途部は、振り分け片２８１の上方において回動可能に支持される。回動アーム２８２の下端部は、振り分け片２８１に連結される。
【０１２５】
ソレノイド２８３は、振り分け機構２８０の駆動源となるものである。ソレノイド２８３はベース部材２１０の背面右部（回動アーム２８２の右方）に配置される。ソレノイド２８３のプランジャ２８３ａは左方に向けて配置される。当該プランジャ２８３ａの左端部は、連結部材２８３ｂを介して回動アーム２８２の上端部に連結される。また当該プランジャ２８３ａは、図示しないバネによって常時左方に向かって付勢される。
【０１２６】
このように構成された振り分け機構２８０において、図示しない制御装置によってソレノイド２８３の動作が制御され、ひいては振り分け片２８１の動作が制御される（図２０の白抜き矢印参照）。
【０１２７】
前記制御装置によってソレノイド２８３に電流が供給されない場合、回動アーム２８２は前記バネの付勢力によって背面視時計回りに回動した状態に保持される。この場合、当該回動アーム２８２の下端部に連結された振り分け片２８１は右方に摺動した状態に保持される。この状態においては、当該振り分け片２８１によって特定領域１４０の開口部が上方から覆われることになり、当該特定領域１４０に遊技球が入球不能な閉鎖状態となる。この閉鎖状態においては、球受け面１２１ａを転動してきた遊技球は、振り分け片２８１の上を転動して通常領域案内面１５０へと案内される。この遊技球は、当該通常領域案内面１５０及びその後方の通常領域案内部２５０を介して通常領域２６０へと案内される。
【０１２８】
一方、前記制御装置によってソレノイド２８３が励磁されると、プランジャ２８３ａが右方へと摺動する。この場合、回動アーム２８２は背面視反時計回りに回動され、振り分け片２８１は左方へと摺動される。この状態においては、特定領域１４０の開口部が開放され、当該特定領域１４０に遊技球が入球可能な開放状態となる。この開放状態においては、球受け面１２１ａを転動してきた遊技球は特定領域１４０へと入球する。
【０１２９】
上述の如く通常領域２６０又は特定領域１４０へと入球した遊技球は、さらに後方へと案内され、パチンコ遊技機が設置されたパチンコホール等の遊技場側に回収される。
【０１３０】
本実施形態に係るパチンコ遊技機において、飛び出し防止部材６０は、第二大入賞口扉２２１の上方であって、第二大入賞口扉２２１の一部もしくは全部と左右方向において重なる位置に配置される。図１６（ａ）の二点鎖線に示すように、例えば、いわゆる左打ちにより遊技球が左側から第二大入賞口扉２２１の左上方へと転動してきた場合には、第二大入賞口扉２２１へと落下することがある。しかし、飛び出し防止部材６０を設けたことにより、図１６（ａ）に示すように、左打ちされた遊技球が左側から第二大入賞口扉２２１の左上方へと転動してきた場合であっても、飛び出し防止部材６０の左面及び左上面と接触して、移動方向が変更される。
【０１３１】
そして、図１６（ｂ）に示すように、移動方向が変更された遊技球は、右下方へと転動するため、第二大入賞口扉２２１と接触しない。これにより、第二大入賞口扉２２１に遊技球が頻繁に衝突して第二大入賞口扉２２１が故障することを防止することができる。
【０１３２】
また、図１７（ａ）の二点鎖線に示すように、例えば、第一大入賞口扉５７が閉鎖状態にある場合であって、いわゆる右打ちにより遊技球が右側から第二大入賞口扉２２１の上方へと転動してきた場合などにおいては、遊技球が、第二大入賞口扉２２１へと落下することがある。しかし、飛び出し防止部材６０の突起部６０ｂを設けたことにより、図１７（ｂ）に示すように、右側から第二大入賞口扉２２１の上方へと転動してきた遊技球は、突起部６０ｂの上面及び本体部１０ａの上面と接触して、移動方向が変更されるため、第二大入賞口扉２２１と接触する確率が減少する。突起部６０ｂの上面及び本体部１０ａの上面は、左側に向かうにつれて下方へ傾斜しているため、遊技球を左側へ誘導しやすくなっている。このため、右側から第二大入賞口扉２２１の上方へと転動してきた遊技球が左側へ移動しやすくなり、第二大入賞口扉２２１と接触する確率が減少するものである。
【０１３３】
図２０に示すように、上述の如く構成された第二大入賞装置３７（図２０においては第一案内部材１００）の右側は案内面１１０の上流側（傾斜の上端側）であるため、案内面１１０の左端部近傍の下方に確保できるスペース（図２０の上下方向幅ＨＬ参照）よりも、右端部近傍の下方に確保できるスペース（図２０の上下方向幅ＨＬ参照）の方が広くなる。
【０１３４】
そこで本実施形態に係る第二大入賞装置３７においては、案内面１１０と、第二大入賞口１２０に入球した遊技球が案内される球受け面１２１ａとが、相反する方向に傾斜するように構成している。これによって、案内面１１０を右から左へと案内されて第二大入賞口１２０に入球した遊技球は、今度は球受け面１２１ａを左から右へと案内されることになる。
【０１３５】
このように、案内面１１０を転動してきた遊技球を、第二大入賞口１２０に入球した後で逆方向に案内することで、当該遊技球をより広いスペースが確保できる方向（すなわち、本実施形態においては右側）へと案内することができる。そして、広いスペースが確保できる第二大入賞装置３７の右側に各種部材（例えば、特定領域センサ２４０、通常領域センサ２７０、振り分け機構２８０等）や領域（特定領域１４０及び通常領域２６０）を配置することで、当該部材等の配置や遊技球を案内するための底部１２１（球受け面１２１ａ）の位置等の設計の自由度が上がる。
【０１３６】
これによって、例えば案内面１１０に対して球受け面１２１ａの位置をできるだけ低く設計することによって、一旦第二大入賞口１２０に入球した遊技球が、その転動の勢いによって当該第二大入賞口１２０の外へ飛び出す現象を発生し難くすることができる。
【０１３７】
以下では、上述の如く構成された第二大入賞装置３７において、遊技球が第二大入賞口へと入球した後の様子について具体的に説明する。
【０１３８】
図２１（ａ）に示すように、第二大入賞口１２０が開放されている場合、案内面１１０を右から左へと転動してきた遊技球は当該第二大入賞口１２０に入球する。第二大入賞口１２０に入球した遊技球は、案内面１１０を転動してきた勢いによって、球受け面１２１ａの上を右から左へと転動しようとする。
【０１３９】
しかしながら、球受け面１２１ａは左に向かって上昇するような傾斜面となるように形成されているため、その上を転動する遊技球の勢いは次第に無くなる。そして図２１（ｂ）に示すように、最終的には、当該遊技球は第二大入賞口１２０に入球した直後とは反対に、球受け面１２１ａを左から右へと転動して右方へと案内されることになる。
【０１４０】
このように案内面１１０と球受け面１２１ａの傾斜方向が逆になるように構成することによって、第二大入賞口１２０に入球した遊技球の転動の勢いを速やかに無くすことができ、ひいては一旦第二大入賞口１２０に入球した遊技球が再び外へと飛び出す現象を発生し難くすることができる。
【０１４１】
また、図２２（ａ）に示すように、比較的勢い良く第二大入賞口１２０に入球してきた遊技球が、球受け面１２１ａの左端部を越える位置、すなわち側面１２２に至るまで転動する場合もあり得る。しかし、側面１２２は球受け面１２１ａよりも大きく傾斜するように形成されているため、遊技球が左方へと転動しようとする勢いは当該側面１２２上でより速やかに失われる。そして図２２（ｂ）に示すように、最終的には、当該遊技球は側面１２２の急な傾斜によって速やかに球受け面１２１ａへと戻され、当該球受け面１２１ａを左から右へと転動して右方へと案内されることになる。
【０１４２】
このように、球受け面１２１ａの深さ（案内面１１０に対する深さ）が最も浅くなる当該球受け面１２１ａの左端部近傍に、当該球受け面１２１ａよりも大きく傾斜した側面１２２を形成することによって、当該左端部まで転動してきた遊技球を速やかに右方へと戻す（退避させる）ことができる。これによって、第二大入賞口扉２２１が第二大入賞口１２０を閉鎖する際に、球受け面１２１ａの深さが浅くなった部分まで転動してきた遊技球が第二大入賞口扉２２１に挟まれる不具合（いわゆる、玉噛み）を発生し難くすることができる。
【０１４３】
また、複数の遊技球が連続して第二大入賞口１２０に入球した場合には、先に入球して上述の如く球受け面１２１ａを右方へと転動する遊技球と、後に入球して球受け面１２１ａを左方へと転動しようとする遊技球とが互いに干渉して勢いを無くし合うため、この場合においても一旦第二大入賞口１２０に入球した遊技球が再び外へと飛び出す現象を発生し難くすることができる。
【０１４４】
なお、上述の玉噛みを防止するための構成としては、図２２（ｃ）に示すように、第二大入賞口１２０の側面１２２を略垂直方向に形成し、球受け面１２１ａの深さが最も浅くなる当該球受け面１２１ａの左端部を、玉噛みが発生しない程度に十分に深く（遊技球の直径に対して十分大きく）なるように形成する構成も考えられる。しかしながらこのような構成の場合、球受け面１２１ａの位置が本実施形態に係る位置（図中の二点鎖線参照）よりも全体的に下がることになるため、各種部材や領域を配置するためのスペースが限定されて設計の自由度が下がってしまうため、好ましくない。
【０１４５】
以上の如く、本実施形態に係るパチンコ遊技機は、遊技板４に配置され、第一大入賞装置３６（入賞装置）の下方に配置される第二大入賞装置３７（第二入賞装置）を備え、第二大入賞装置３７は、上側面が左右方向に細長く開口される第二大入賞口１２０（第二入賞口）と、第二大入賞口１２０を閉鎖する閉鎖位置と、前記閉鎖位置から退避して第二大入賞口１２０の上面を開放する開放位置との間で移動可能であり、前記閉鎖位置において、第二大入賞口１２０を被覆する第二大入賞口扉２２１（第二開閉部材）とを備え、飛び出し防止部材６０は、第二大入賞口扉２２１の上方であって、第二大入賞口扉２２１の一部もしくは全部と左右方向において重なる位置に配置されると共に、左右方向の少なくとも一方に突出する突起部６０ｂを有するものである。
【０１４６】
このように構成することにより、飛び出し防止部材６０によって、第二大入賞装置３７の第二大入賞口扉２２１の上面方向へ向かう遊技球の転動方向を変更することで、第二大入賞口扉２２１に遊技球が衝突する確率を減らし、第二大入賞口扉２２１が壊れ難くなる。
【０１４７】
なお、本実施形態においては、飛び出し防止部材６０は、案内通路５８と対向する面から案内通路５８側へ向かって突出する突起部６０ｂを有する構成としているが、本発明はこれに限るものではなく、例えば、突起部６０ｂに加えて、案内通路５８の反対側の面から案内通路５８から離れる方向へ突出する別の突起部を設ける構成とすることも可能である。これにより、第二大入賞口扉２２１に遊技球が衝突する確率を減らし、第二大入賞口扉２２１が壊れ難くなる。
【０１４８】
また、突起部６０ｂの長さは、本実施形態に係る遊技球の半径程度の長さに限定するものではなく、遊技球の半径よりも長く形成することも可能である。これにより、遊技球が第一大入賞口５５に入らず案内通路５８の反対側へと飛び出すのを抑制することができる。
【符号の説明】
【０１４９】
４：遊技板，４Ａ：遊技盤，３６：第一大入賞装置（入賞装置），３７：第二大入賞装置（第二入賞装置），５５：第一大入賞口（入賞口），５７：第一大入賞口扉（開閉部材），５８：案内通路，６０：飛び出し防止部材，６０ａ：本体部，６０ｂ：突起部，１２０：第二大入賞口（第二入賞口），２２１：第二大入賞口扉（第二開閉部材）
【図１】
2015205103.tif 000003
【図２】
2015205103.tif 000004
【図３】
2015205103.tif 000005
【図４】
2015205103.tif 000006
【図５】
2015205103.tif 000007
【図６】
2015205103.tif 000008
【図７】
2015205103.tif 000009
【図８】
2015205103.tif 000010
【図９】
2015205103.tif 000011
【図１０】
2015205103.tif 000012
【図１１】
2015205103.tif 000013
【図１２】
2015205103.tif 000014
【図１３】
2015205103.tif 000015
【図１４】
2015205103.tif 000016
【図１５】
2015205103.tif 000017
【図１６】
2015205103.tif 000018
【図１７】
2015205103.tif 000019
【図１８】
2015205103.tif 000020
【図１９】
2015205103.tif 000021
【図２０】
2015205103.tif 000022
【図２１】
2015205103.tif 000023
【図２２】
2015205103.tif 000024